(57)【要約】【課題】  積算計が作動していることをユーザが容易に確認できる車両用走行距離計を提供する。【解決手段】  車両の走行速度を検出する車速センサ２０と、車速センサ２０の検出走行速度に基づいて車両の走行距離を表す走行距離データを生成する発生手段３０、４０と、走行距離データに基づいて走行距離をデジタル表示する表示器１０とを備えた車両用走行距離計において、車速センサ２０の検出走行速度がゼロでない場合に、表示器１０におけるユーザに視認可能な所定部位を点滅表示させる。具体的には、表示器１０を、走行距離の小数点以上を表示する走行距離表示部１０ａと、走行距離表示部１０ａの右側に表示される小数点表示部１０ｂとを有するように構成し、車速センサ２０の検出走行速度がゼロでない場合に小数点表示部１０ｂを点滅表示させる。【選択図】        図２
2005308480.tif 000002
【特許請求の範囲】
【請求項１】
車両の走行速度を検出する検出手段（２０）と、
前記検出手段の検出走行速度に基づいて車両の走行距離を表す走行距離データを生成する発生手段（３０、４０）と、
前記走行距離データに基づいて前記走行距離をデジタル表示する表示手段（１０）とを備え、
前記表示手段は、前記検出手段の検出走行速度がゼロでない場合に、ユーザに視認可能な所定部位が点滅表示するように構成されていることを特徴とする車両用走行距離計。
【請求項２】
前記表示手段は、前記走行距離の小数点以上を表示する走行距離表示部（１０ａ）と、前記走行距離表示部の右側に表示される小数点表示部（１０ｂ）とを有しており、前記所定部位は、前記小数点表示部であることを特徴とする請求項１に記載の車両用走行距離計。
【発明の詳細な説明】
【技術分野】
【０００１】
本発明は、車両の走行距離を表示する車両用走行距離計に関する。
【背景技術】
【０００２】
近年、車両用計器に用いられる走行距離計では、液晶（ＬＣＤ）によるデジタル表示が採用され、車両総走行距離を示すオドメータと走行距離をリセット可能なトリップメータとを切り替える方式が一般的になっている。通常、オドメータの最下位桁は１ｋｍ単位に設定され、トリップメータの最下位桁は０．１ｋｍ単位に設定されており、通常走行時はオドメータを表示させておくのが一般的である。
【発明の開示】
【発明が解決しようとする課題】
【０００３】
しかしながら、オドメータのように最下位桁が１ｋｍ単位だと、市街地走行のような低速走行時（例えば３０〜４０ｋｍ／ｈ）では、１ｋｍを積算して走行距離計の表示が変化するまでに１分以上かかってしまう。この結果、ユーザに走行距離計が作動しているのか否かを確認することが困難であり、ユーザに不安を与えるという問題がある。
【０００４】
本発明は上記点に鑑み、低速走行時においても、積算計が作動していることをユーザが容易に確認できる車両用走行距離計を提供することを目的とする。
【課題を解決するための手段】
【０００５】
上記目的を達成するため、請求項１に記載の発明では、車両の走行速度を検出する検出手段（２０）と、検出手段の検出走行速度に基づいて車両の走行距離を表す走行距離データを生成する発生手段（３０、４０）と、走行距離データに基づいて走行距離をデジタル表示する表示手段（１０）とを備え、表示手段は、検出手段の検出走行速度がゼロでない場合に、ユーザに視認可能な所定部位が点滅表示するように構成されていることを特徴としている。
【０００６】
このように、車速がゼロでない場合にユーザに視認可能な所定部位を点滅表示させることで、例えば市街地走行のような低速走行時に表示手段の走行距離表示がなかなか変化しないような場合においても、ユーザは走行距離計が作動していることが容易に認識することができる。
【０００７】
また、請求項２に記載の発明では、表示手段は、走行距離の小数点以上を表示する走行距離表示部（１０ａ）と、走行距離表示部の右側に表示される小数点表示部（１０ｂ）とを有しており、所定部位は、小数点表示部であることを特徴としている。このように、走行距離を示す数字に含まれる小数点を点滅させることで、ユーザに与える違和感を少なくすることができる。
【０００８】
なお、上記各手段の括弧内の符号は、後述する実施形態に記載の具体的手段との対応関係を示すものである。
【発明を実施するための最良の形態】
【０００９】
以下、本発明に係る車両用走行距離計の一実施形態を図１及び図２に基づいて説明する。図１は、本実施形態の車両用走行距離計の構成を示すブロック図であり、図２は表示器１０の表示内容を示す説明図である。
【００１０】
図１に示すように、走行距離計は、表示器１０、車速センサ２０、カウント回路３０、駆動回路部４０を備えている。なお、表示部１０が本発明の表示手段に相当し、車速センサ２０が本発明の検出手段に相当し、カウント回路３０および駆動回路部４０が本発明の発生手段に相当している。
【００１１】
表示器１０は、車両の車室内のインストルパネルに配設され、車両ユーザに車両走行距離を報知するするものである。図２に示すように、表示器１０は、デジタル表示部１０ａと、第１小数点表示部１０ｂと、第２小数点表示部１０ｃとを備えている。
【００１２】
デジタル表示部１０ａは、当該車両の積算走行距離の値を表示するもので、６桁の数字を表示可能に構成されている。デジタル表示部１０ａは、６個の７セグメントからなる数字表示部により形成されており、各数字表示部は「０」〜「９」までの各数字を表示可能となっている。デジタル表示部１０ａに表示される走行距離の単位はｋｍとなっている。
【００１３】
また、デジタル表示部１０ａは、例えば液晶（ＬＣＤ）を用いて構成することができる。本実施形態のデジタル表示部１０ａは、車両の総走行距離を示すオドメータと走行距離をリセット可能なトリップメータとを切り替えて表示可能に構成されている。オドメータを表示するオドメータ表示モードとトリップメータを表示するトリップメータ表示モードは、車両ユーザが表示切替スイッチ（図示せず）を操作することにより切り替わる。
【００１４】
オドメータの最下位桁は１ｋｍ単位に設定され、トリップメータの最下位桁は０．１ｋｍ単位に設定されている。本実施形態の走行距離表示部１０ａでは、オドメータでは０ｋｍ〜９９９９９９ｋｍまで積算可能であり、トリップメータでは０．０ｋｍ〜９９９９９．９ｋｍまで積算可能となっている。
【００１５】
第１小数点表示部１０ｂおよび第２小数点表示部１０ｃは、小数点を表すものである。第１小数点表示部１０ｂは、最下位桁の右側に配置され、第２小数点表示部１０ｃは、最下位から一桁目と二桁目との間に配置されている。第１小数点表示部１０ｂは、最下位桁は１ｋｍ単位のオドメータ表示時に表示され、第２小数点表示部１０ｃは、最下位桁は０．１ｋｍ単位のトリップメータ表示時に表示される。
【００１６】
図１に戻り、車速センサ２０は、当該車両の走行速度を検出しこれに比例する周波数でパルス信号を発生する。カウント回路３０は、バッテリ（図示せず）から当該車両のイグニッションスイッチ（図示せず）を介して給電されてカウント作動状態となる。そして、このカウント回路３０は、このカウント作動状態にて、車速センサ２０から発生される各パルス信号を順次カウントし、このカウント値を走行距離データとして駆動回路４０に出力する。駆動回路４０は、カウント回路３０からの走行距離データに基づきこの走行距離データの値を表示するように表示器１０の各表示部を点灯駆動する。これにより、表示器１０は、走行距離表示部１０ａの表示により、上記走行距離データをデジタル表示する。
【００１７】
このような状態にて車速センサ２０がパルス信号を順次発生すると、これらパルス信号がカウント回路３０によりカウントされる。このカウントに伴い、カウント回路３０が、カウント値を走行距離データとして駆動回路４０に出力する。駆動回路４０では、オドメータ表示モードの場合には、表示器１０の走行距離表示部１０ａにて総走行距離を表示させるとともに第１小数点表示部１０ｂを表示させ、トリップメータ表示モードの場合には、表示器１０の走行距離表示部１０ａにてリセット後の走行距離を表示させるとともに第２小数点表示部１０ｃを表示させる。
【００１８】
本実施形態の駆動回路部４０は、オドメータ表示モードとなっている場合において、走行距離計が作動しているとき、すなわち車速センサ２０にて検出した車速がゼロでないとき、第１小数点表示部１０ａに表示される小数点を点滅表示させるように構成されている。第１小数点表示部１０ａの点滅表示は周期的（例えば１秒ごと）に行われる。
【００１９】
このように、車速がゼロでない場合に第１小数点表示部１０ｂの小数点を点滅表示させることで、例えば市街地走行のような低速走行時に走行距離表示部１０ａの積算距離表示がなかなか変化しないような場合においても、ユーザは距離計が作動していることが容易に認識することができる。また、走行距離を示す数字に含まれる小数点を点滅させることで、ユーザに与える違和感を少なくすることができる。
【００２０】
（他の実施形態）
なお、上記実施形態では、車速がゼロでないときに走行距離計に含まれる小数点を点滅表示させたが、これに限らず、表示器１０における走行距離計に関する表示でユーザが視認可能なものを点滅表示させるようにすることができる。例えば走行距離表示部１０ａにおける最下位桁の数字表示部のような走行距離表示部１０ａの一部を点滅表示させてもよく、または車速がゼロでないときに点滅させる表示部を新たに設けてもよい。
【００２１】
また、上記実施形態では、車速がゼロでないときの小数点表示部１０ｂの点滅周期を時間（例えば１秒ごと）に基づいて設定したが、これに限らず、走行距離（例えば１００ｍごと）に基づいて設定してもよい。距離表示単位についても、ｋｍ表示で説明したが、これに限らず、ｍｉｌｅ表示でもよい。
【図面の簡単な説明】
【００２２】
【図１】上記実施形態の車両用走行距離計の構成を示すブロック図である。
【図２】表示器の表示内容を示す説明図である。
【符号の説明】
【００２３】
１０…表示器、１０ａ…走行距離表示部、１０ｂ、１０ｃ…小数点表示部、２０…車速センサ、３０…カウント回路部、４０…駆動回路部。
【図１】
2005308480.tif 000003
【図２】
2005308480.tif 000004